【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
荷役設備の１ステーションで処理する対象の複数のアイテムを収容したレセプタクルを選択するステップであって、前記レセプタクルはそのレセプタクルの中にある個々のアイテムを処理せずに選択される、前記選択するステップと、
前記複数のアイテムを収容した前記レセプタクルを前記ステーションで受け取るステップであって、前記ステーションは、注文で指定されたアイテムを処理するように構成され、前記レセプタクル内の複数のアイテムの一部は、１つ又は複数の現在の注文向けである、前記受け取るステップと、
荷役設備の制御システムの指示により、前記１つ又は複数の現在の注文によって指定されたレセプタクルからのアイテムを、前記１つ又は複数の現在の注文によって指定されないオーバーエイジ・アイテムであるレセプタクルからの１つ又は複数のアイテムを分離させるステップと、
を含むことを特徴とする方法。
【請求項２】
前記１つ又は複数の現在の注文は複数の注文を含み、前記方法は、レセプタクルからの現在の注文向けではない１つ又は複数のアイテムを、荷役設備のインベントリに戻すことになる戻し入れレセプタクルに入れるステップを含むことを特徴とする請求項１記載の方法。
【請求項３】
前記荷役設備は、複数の異質のアイテムを保管するためのインベントリを備え、前記複数の異質のアイテムは、２以上の異質のアイテムが前記インベントリの１レセプタクルに一緒に保管されるランダム収容技法によって前記インベントリに保管され、前記方法がさらに、
前記インベントリから１レセプタクルをピッキングするステップを含み、
前記ステーションで受理される複数のアイテムを収容した前記レセプタクルは、前記インベントリからピッキングされた前記レセプタクルであることを特徴とする請求項１記載の方法。
【請求項４】
前記レセプタクルからの前記１つ又は複数のアイテムであって前記１つ又は複数の現在の注文向けではないものを、前記荷役設備の前記インベントリ内の別のレセプタクルに整理統合するステップをさらに含むことを特徴とする請求項３記載の方法。
【請求項５】
前記荷役設備は、アイテムを受理し、前記受理済みアイテムを前記荷役設備へと処理する受理ステーションを備え、前記受理済みアイテムは、前記荷役設備の顧客からの返品アイテムを含み、前記方法はさらに、
複数の返品アイテムを優先レセプタクルに入れるステップを含み、
前記ステーションで受理された前記レセプタクルは前記優先レセプタクルであることを特徴とする請求項１記載の方法。
【請求項６】
前記荷役設備は、前記制御システムの指示によって注文履行するために前記荷役設備のエージェントによってピッキングされる複数の異質のアイテムを保管するためのインベントリを備え、前記方法がさらに、
受理済みレセプタクル内の複数のアイテムからの注文のうち少なくともいくつかを履行するステップを含み、
前記注文で指定された１つ又は複数のアイテムが、受理済みレセプタクル内の複数のアイテムから履行されなかった場合、１つ又は複数のエージェントに、前記ステーションで処理するために前記インベントリから未履行アイテムをピッキングするように指示するステップを含むことを特徴とする請求項１記載の方法。
【請求項７】
前記レセプタクル内の前記複数のアイテムは、２以上の異質のアイテムを含むことを特徴とする請求項１記載の方法。
【請求項８】
荷役設備であって、
注文アイテムを処理する１つ又は複数のステーションと、
前記荷役設備内で注文履行を管理するように構成された制御システムと、を備え、
前記制御システムは、前記ステーションのうち１つにおいてレセプタクルが処理される前に、レセプタクル内のアイテムのうち１つ又は複数が個々に処理されることを指示することなく、レセプタクル内のアイテムを注文と合致させるように構成され、
ステーションのうち少なくとも１つは、
一部は現在の注文向けであるが全部が現在の注文向けではないような複数のアイテムを収容したレセプタクルを受け取り、
前記制御システムの指示によって、レセプタクルからの前記現在の注文向けのアイテムを、レセプタクルからの現在の注文向けでない１つ又は複数のアイテムと分離させるように構成されることを特徴とする荷役設備。
【請求項９】
複数の異質のアイテムを保管するためのインベントリをさらに備え、前記複数の異質のアイテムは、２以上の異質のアイテムが前記インベントリの１レセプタクルに一緒に保管されるランダム収容技法によって前記インベントリに保管され、
前記インベントリ内のレセプタクルは、前記制御システムの指示によって、注文のアイテムを処理するための１つ又は複数のステーションのうち１つで処理されるために選択されるように構成され、
１ステーションで受理される複数のアイテムを収容した前記レセプタクルは、前記インベントリからピッキングされたレセプタクルであることを特徴とする請求項８記載の荷役設備。
【請求項１０】
アイテムを受理し、その受理済みアイテムを前記荷役設備へと処理する受理ステーションをさらに備え、前記受理済みアイテムは、顧客から返品された異質のアイテムを含み、  前記受理ステーションは、
複数の返品アイテムを１レセプタクルに収納し、
前記ステーションで受理された前記レセプタクルは、複数の返品アイテムを収容した前
記レセプタクルである
ように構成されることを特徴とする請求項８記載の荷役設備。
【請求項１１】
プログラム命令を備えたコンピュータでアクセス可能な媒体であって、前記プログラム命令は荷役設備制御システムを実装するように構成されており、前記荷役設備制御システムは、
荷役設備の１ステーションで処理するために、荷役設備内の複数のアイテムを収容したレセプタクルの選択を指示するように構成され、前記ステーションは、注文向けのアイテムを処理するように構成されており、前記複数のアイテムの一部は、前記制御システム内の現在の注文向けであり、前記レセプタクルは、現在の注文向けのアイテムを現在の注文向けでないアイテムから区別するために、レセプタクル内の個々のアイテムを処理せずに選択され、さらに、
前記ステーションでの前記選択されたレセプタクルの処理を指示するように構成され、前記選択されたレセプタクルの処理を指示するために、前記荷役設備制御システムは、レセプタクルからの現在の注文向けでない１つ又は複数のアイテムから、レセプタクルからの現在の注文向けのアイテムの分離を命令するように構成されている
プログラム命令を備えることを特徴とするコンピュータでアクセス可能な媒体。
【請求項１２】
前記制御システムはさらに、前記レセプタクルからの前記現在の注文向けではない１つ又は複数のアイテムの、前記荷役設備内のインベントリへの保管を命令するように構成されていることを特徴とする請求項１１記載のコンピュータでアクセス可能な媒体。
【請求項１３】
前記荷役設備は、アイテムの出荷品を受理しその出荷品を前記荷役設備へと処理する受理ステーションを備え、前記出荷品のうち少なくとも１つは、複数の異質のアイテムを収容した１つ又は複数のコンテナを含み、前記ステーションで処理される複数のアイテムを収容した前記選択されたレセプタクルは前記コンテナであることを特徴とする請求項１１記載のコンピュータでアクセス可能な媒体。
【請求項１４】
前記荷役設備は、前記制御システムの指示によって注文履行するために前記荷役設備のエージェントによってピッキングされる複数の異質のアイテムを保管するためのインベントリを備え、
前記制御システムは、
前記選択されたレセプタクルからの複数のアイテムを注文履行するようにさらに構成され、
前記注文で指定された１つ又は複数のアイテムが、前記選択されたレセプタクル内の複数のアイテムから履行されなかった場合、前記ステーションで処理するために前記インベントリから未履行アイテムの選択を命令するように構成されることを特徴とする請求項１１記載のコンピュータでアクセス可能な媒体。
【請求項１５】
前記レセプタクル内の複数のアイテムは２以上の異質のアイテムを含むことを特徴とする請求項１１記載のコンピュータでアクセス可能な媒体扱い設備。